(57)【要約】【課題】ユーザが被写体の表示位置について満足することができる画像を提供することのできるカメラ付き携帯端末を提供する。【解決手段】カメラ付き携帯端末は、撮影指示を受け付け、前記カメラで撮影がされると、撮影された原画像に含まれる被写体の中心位置が前記原画像の中心位置からずれている場合に、前記被写体を含み、且つ前記被写体の中心位置を中心とする部分画像を原画像から抽出し、抽出した部分画像を、原画像のサイズと同一のサイズに拡大する。【選択図】図２
2015070287.tif 000002
【特許請求の範囲】
【請求項１】
カメラ付き携帯端末であって、
撮影指示を受け付ける受付部と、
撮影指示が受け付けられ、カメラで撮影がされると、撮影された原画像に含まれ、撮影時の焦点合わせの対象であった被写体の中心位置が、前記原画像の中心位置からずれている場合に、前記被写体を含み、且つ前記被写体の中心位置を中心とする部分画像を、前記原画像から抽出する抽出部と、
前記部分画像を、前記原画像のサイズと同一のサイズに拡大する拡大部と、
拡大された前記部分画像を表示する表示部とを備える
ことを特徴とするカメラ付き携帯端末。
【請求項２】
前記抽出部は、
前記表示領域の中心位置から前記被写体の中心位置までの長さが、所定値以上である場合に、前記被写体の中心位置が前記表示領域の中心位置からずれていると判断する
ことを特徴とする請求項１に記載のカメラ付き携帯端末。
【請求項３】
前記抽出部は、
前記被写体の中心位置から、前記原画像の枠を構成する長辺までの最短の長さである第１の長さと、前記被写体の中心位置から、前記原画像の枠を構成する短辺までの最短の長さである第２の長さとを算出し、
前記第１の長さ及び前記第２の長さのそれぞれを２倍して得られる矩形状の領域を前記部分画像とする
ことを特徴とする請求項１に記載のカメラ付き携帯端末。
【請求項４】
前記表示部は、前記原画像を、前記拡大部で拡大された前記部分画像とともに表示し、
前記携帯端末は、さらに、
前記原画像と、拡大された前記部分画像との何れかの選択を受け付ける受付部と、
前記受付部で受け付けられた画像を、所定の記憶領域へ書き込む書込部とを備える
ことを特徴とする請求項１に記載のカメラ付き携帯端末。
【請求項５】
前記カメラ付き携帯端末は、さらに、
前記受付部よる前記撮影指示を受け付けるに先立って、撮影対象となる被写体を特定する特定部と、
前記受付部で前記撮影指示が受け付けられた後であって、前記抽出部による前記抽出に先立って、前記特定部で特定された被写体が前記抽出部による抽出対象であるか否かを判断し、前記被写体が抽出対象であると判断する場合には、前記抽出部について前記抽出を行うよう制御し、前記被写体が抽出対象でないと判断する場合には、前記抽出部について前記抽出を行わないよう制御する制御部とを備える
ことを特徴とする請求項１に記載のカメラ付き携帯端末。
【請求項６】
指示受付部と抽出部と拡大部と表示部とを備えるカメラ付き携帯端末で用いられる撮影方法であって、
前記指示受付部が、撮影指示を受け付ける受付ステップと、
前記抽出部が、撮影指示が受け付けられ、カメラで撮影がされると、撮影された原画像に含まれ、撮影時の焦点合わせの対象であった被写体の中心位置が、前記原画像の中心位置からずれている場合に、前記被写体を含み、且つ前記被写体の中心位置を中心とする部分画像を、前記原画像から抽出する抽出ステップと、
前記拡大部が、前記部分画像を、前記原画像のサイズと同一のサイズに拡大する拡大ステップと、
前記表示部が、拡大された前記部分画像を表示する表示ステップとを含む
ことを特徴とする撮影方法。
【発明の詳細な説明】
【技術分野】
【０００１】
本発明は、カメラ付き携帯端末に関し、特にカメラで撮影された画像の補正技術に関する。
【背景技術】
【０００２】
近年、カメラ付き携帯端末において、被写体の動きを追尾するトラッキング機能を有するものがある。このようなカメラ付き携帯端末は、トラッキング機能を利用して、撮影対象となる被写体を特定し、特定した被写体にオートフォーカス（ＡＦ：Ａｕｔｏ  Ｆｏｃｕｓ）、自動露光調節（ＡＥ：Ａｕｔｏ  Ｅｘｐｏｓｕｒｅ）及びオートホワイトバランス（ＡＷＢ：Ａｕｔｏ  Ｗｈｉｔｅ  Ｂａｌａｎｃｅ）を適用して、最適な画質となる画像を得ることが可能となっている（特許文献１参照）。
【先行技術文献】
【特許文献】
【０００３】
【特許文献１】特開平５−８０２４８号公報
【発明の概要】
【発明が解決しようとする課題】
【０００４】
動いている被写体（例えば、自動車等）をトラッキング機能を利用して撮影する場合、被写体が撮影範囲の中心、つまり撮影対象の画像が表示されたディスプレイの中心に位置したときに、ユーザがシャッターボタンを押下しても、被写体は動いているので、撮影された画像における被写体の位置は撮影された画像の中心からずれることがある。このような場合、ユーザは、ＡＦ機能等により撮影された画像の画質については満足することができるが、撮影された画像に含まれる被写体が、撮影された画像の中心からずれていることによって、被写体の表示位置については満足できないことがある。
【０００５】
そこで、本発明は、被写体の表示位置についてユーザを満足させることができる画像を生成することのできるカメラ付き携帯端末、及び撮影方法を提供することを目的とする。
【課題を解決するための手段】
【０００６】
上記目的を達成するために、本発明は、  カメラ付き携帯端末であって、撮影指示を受け付ける受付部と、撮影指示が受け付けられ、カメラで撮影がされると、撮影された原画像に含まれ、撮影時の焦点合わせの対象であった被写体の中心位置が、前記原画像の中心位置からずれている場合に、前記被写体を含み、且つ前記被写体の中心位置を中心とする部分画像を、前記原画像から抽出する抽出部と、前記部分画像を、前記原画像のサイズと同一のサイズに拡大する拡大部と、拡大された前記部分画像を表示する表示部とを備えることを特徴とする。
【発明の効果】
【０００７】
上記構成によると、カメラ付き携帯端末は、被写体の表示位置についてユーザを満足させることができる画像を提供することがきる。
【図面の簡単な説明】
【０００８】
【図１】（ａ）及び（ｂ）は、携帯電話機１０の外観を説明する図である。
【図２】携帯電話機１０の構成を示すブロック図である。
【図３】（ａ）は、画像のサイズを説明する図であり、（ｂ）は、画像のサイズで表される領域の中心位置Ｏから矩形状の枠の中心位置Ｐまでの差分の取得について説明する図である。
【図４】（ａ）、（ｂ）及び（ｃ）は、部分画像の抽出について説明する図である。
【図５】部分画像の拡大について説明する図である。
【図６】携帯電話機１０におけるカメラ撮影に係る動作を示す流れ図である。
【図７】抽出処理の動作を説明する流れ図である。
【図８】拡大処理の動作を説明する流れ図である。
【図９】変形例における携帯電話機１０のカメラ撮影に係る動作を示す流れ図である。
【図１０】撮影された原画像と、拡大された部分画像の双方を表示する場合の一例を示す図である。
【発明を実施するための形態】
【０００９】
１．実施の形態
以下、本発明に係る携帯端末の一実施形態であるカメラ付き携帯電話機（以下、単に携帯電話機という。）１０について説明する。
１．１  概要
本実施の形態における携帯電話機１０の外観について図１を参照しつつ説明する。図１（ａ）は、携帯電話機１０の正面図であり、図１（ｂ）は、携帯電話機１０の背面図である。
【００１０】
携帯電話機１０は、図１（ａ）、（ｂ）で示すように、液晶ディスプレイ（以下、ＬＣＤ（Ｌｉｑｕｉｄ  Ｃｒｙｓｔａｌ  Ｄｉｓｐｌａｙ））などで構成された表示部３０、スピーカ部３１、マイクロフォン３２、及びカメラレンズ３５が配置されている。
携帯電話機１０は、カメラ撮影時には、カメラレンズ３５に写った被写体を表示部３０で表示し、例えば表示部３０で表示されたシャッターボタンを押下することで、撮影を行う。
【００１１】
１．２  構成
ここでは、携帯電話機１０の撮影機能に係る技術について説明する。
携帯電話機１０は、図２に示すように、撮影処理部２０、表示部３０、コントローラ４０、画像記憶部５０及び制御部６０から構成されている。
携帯電話機１０は、プロセッサ及びメモリを含んで構成されており、制御部６０の機能は、メモリに記憶されているプログラムをプロセッサが実行することにより実現される。
【００１２】
なお、図２においては撮影機能に係る構成要素を示しているが、携帯電話機１０は、上述したスピーカ部３１、マイクロフォン３２、及び通信機能に係る構成要素等、携帯電話機としての機能を実現する構成要素を備えている。
（１）撮影処理部２０
撮影処理部２０は、カメラレンズ３５及び撮像素子（例えば、ＣＭＯＳ、ＣＣＤ）を含み、撮影に係る処理を行うものである。具体的には、撮影処理部２０は、オートフォーカス（ＡＦ）機能、自動露光調節（ＡＥ）機能、オートホワイトバランス（ＡＷＢ）機能、及び焦点合わせ、ズーム、絞り・シャッターを行う機構を有している。撮影処理部２０は、これらの機能及び機構の動作により、被写体をカメラレンズ３５を通して撮像素子に結像させて被写体の撮影を行う。
【００１３】
また、撮影処理部２０は、トラッキング機能を有しており、トラッキング機能を用いて、ＡＦ機能、ＡＥ機能及びＡＷＢ機能によるオートフォーカス、自動露光調節及びオートホワイトバランスを、撮影対象の被写体に合わせる制御を行う。
（２）表示部３０
表示部３０は、タッチパネル機能を備えるものであり、タッチパッド１０１及びＬＣＤ１０２を含んでいる。
【００１４】
タッチパッド１０１は、静電容量方式のタッチセンサであり、ＬＣＤ１０２に重畳して設けられている。なお、タッチパッド１０１は、透明部材を用いて構成されており、ＬＣＤ１０２に表示された画像が見えるように構成されている。
（３）コントローラ４０
コントローラ４０は、表示部３０のタッチパッド１０１に対するユーザの指等の接触を検出し、検出している間、単位時間（例えば、２５ｍｓ）毎に、タッチパッド１０１における接触位置の座標値（ｘ，ｙ）を制御部６０に出力するＩＣ（Ｉｎｔｅｇｒａｔｅｄ  Ｃｉｒｃｕｉｔ）である。
【００１５】
（４）画像記憶部５０
画像記憶部５０は、撮影された画像を記憶するための記憶領域である。
（５）制御部６０
制御部６０は、携帯電話機１０全体の動作に係る制御を行うものでる。以下において、撮影に係る動作を制御する機能について説明する。
【００１６】
制御部６０は、図２に示すように、表示制御部２０１、操作検出部２０２、位置特定部２０３、抽出部２０４、拡大部２０５及び書込部２０６を有している。
（５−１）表示制御部２０１
表示制御部２０１は、カメラレンズ３５を通して撮像素子に結像された被写体が表示部３０のＬＣＤ１０２で表示されるよう表示部３０を制御する機能を有する。
【００１７】
表示制御部２０１は、撮影処理部２０の機能により焦点合わせの対象となった被写体、つまりトラッキング機能によりＡＦ等の制御の対象となった被写体に、被写体を囲む矩形状の枠を付加して表示がされるよう表示部３０の制御を行う。このとき、表示制御部２０１は、枠の全体が表示領域内に存在する場合に枠を表示するよう、表示部３０の制御を行い、枠の少なくとも一部が表示領域外にはみ出す場合には枠の表示は行わないよう、表示部３０の制御を行う。
【００１８】
また、表示制御部２０１は、撮影処理部２０の動作中においては、撮影指示を受け付けるためのソフトウェアキーであるシャッターボタンの表示を行う。ユーザは、表示されたシャッターボタンを押下（タッチ）することで、携帯電話機１０に対して画像の撮影の指示を行う。
（５−２）操作検出部２０２
操作検出部２０２は、コントローラ４０から出力された座標値に基づいて、ユーザが行った操作を検出する機能を有する。
【００１９】
具体的には、操作検出部２０２は、コントローラ４０から出力された座標値がシャッターボタンの表示領域に含まれている場合には、ユーザがシャッターボタンを押下したことを検知する。
（５−３）位置特定部２０３
位置特定部２０３は、撮影された被写体が、撮影された画像（以下、原画像という。）のどの位置に存在するかを特定する機能を有する。
【００２０】
位置特定部２０３は、操作検出部２０２でシャッターの押下が検出されると、その時点で撮影対象である被写体、つまり焦点対象とである被写体の枠の中心位置と、原画像の中心位置との差分を取得する。
以下、具体例を用いて説明する。
ここでは、図３（ａ）に示すように、画像のサイズは画素数５４０×９６０で表され、原画像の中心位置Ｏの座標値を（０、０）とする。
【００２１】
位置特定部２０３は、図３（ｂ）に示すように、矩形状の枠の中心位置Ｐの座標値と、領域の中心位置Ｏの座標値とを用いて、ｘ軸成分の差分値ｌと、ｙ軸成分の差分値ｍとを算出して取得する。
（５−４）抽出部２０４
抽出部２０４は、位置特定部２０３で取得された差分値ｌ、ｍにより、被写体の枠の中心位置Ｐが原画像の中心位置Ｏからずれている場合に、原画像から、被写体を含む部分画像を抽出する機能を有する。
【００２２】
以下、抽出部２０４について具体的に説明する。
抽出部２０４は、位置特定部２０３で取得された差分値ｌと、差分値ｍとを用いて、枠の中心位置Ｐが、原画像の中心位置Ｏを中心とする所定領域Ｇ１１０内に存在するか、所定領域Ｇ１１０外に存在するかを判断する。ここで、所定領域Ｇ１１０は、水平方向の長さを原画像の水平方向の長さＸの３０％とし、垂直方向の長さを原画像の垂直方向の長さＹの３０％とする矩形領域である。
【００２３】
具体的には、中心位置Ｏを始点とした右水平方向の長さを原画像の水平方向の長さＸに０．１５を乗算して算出し、中心位置Ｏを始点とした左水平方向の長さを原画像の水平方向の長さＸに０．１５を乗算して算出する。そして、算出された各値を加算して、その結果を所定領域Ｇ１１０の水平方向の長さとする。このとき、原画像の水平方向の長さＸに０．１５を乗算して算出された値が小数値を含む場合には、小数点以下を切り捨てる。
【００２４】
また、中心位置Ｏを始点とした上垂直方向の長さを原画像の垂直方向の長さＹに０．１５を乗算して算出し、中心位置Ｏを始点とした下垂直方向の長さを原画像の垂直方向の長さＹに０．１５を乗算して算出し、算出された各値を加算して、その結果を所定領域Ｇ１１０の水平方向の長さとする。このとき、原画像の垂直方向の長さＹに０．１５を乗算して算出された値が小数値を含む場合には、上記と同様に小数点以下を切り捨てる。
【００２５】
中心位置Ｐが所定領域Ｇ１１０外に存在すると判断する場合、被写体の枠の中心位置Ｐが原画像の中心位置Ｏからずれているとして、抽出部２０４は、枠の中心位置Ｐから原画像における垂直方向の縁までの最短の長さＬ、及び枠の中心位置Ｐから原画像における水平方向の縁までの最短の長さＭをそれぞれ算出する。例えば、図４（ａ）に示すように、原画像の水平方向の長さをＸ（＝９６０）、垂直方向の長さをＹ（＝５４０）とした場合、長さＬは、“Ｘ／２−ｌ”となり、長さＭは、“Ｙ／２−ｍ”となる。
【００２６】
抽出部２０４は、図４（ｂ）に示すように、枠の中心位置Ｐを中心とし、ｘ軸方向の長さを２×Ｌ（＝Ｘ−２ｌ）、ｙ軸方向の長さを２×Ｍ（＝Ｙ−２ｍ）とする矩形状の領域からなる画像を部分画像Ｇ１０２として抽出する。これにより、携帯電話機１０は、被写体の中心位置を中心とする部分画像を確実に抽出することができる。
中心位置Ｐが所定領域Ｇ１１０内に存在すると判断する場合（図４（ｃ）参照）、抽出部２０４は、被写体の枠の中心位置Ｐが原画像の中心位置Ｏからずれていないとみなし、上述した部分画像の抽出に係る処理は行わない。
【００２７】
ここで、被写体の枠の中心位置Ｐが所定領域Ｇ１１０内に存在するか、所定領域Ｇ１１０外に存在するかの判断の一例について述べる。
抽出部２０４は、被写体の枠の中心位置Ｐから原画像の中心位置Ｏまでの長さが、所定長より長い場合に、所定領域Ｇ１１０外に存在すると判断する。ここで、所定長とは、原画像の中心位置Ｏから、原画像の中心位置Ｏを始点とした被写体の枠の中心位置Ｐの方向の直線と被写体の枠の一辺とが交差する点までの長さである。
【００２８】
（５−５）拡大部２０５
拡大部２０５は、抽出部２０４で部分画像Ｇ１０２が抽出されると、抽出された部分画像Ｇ１０２の表示サイズが、撮影された原画像を表示する原画像のサイズと同一となるように、部分画像Ｇ１０２を拡大する機能を有する。
拡大部２０５は、部分画像Ｇ１０２の水平方向の長さに対する原画像の水平方向の長さの比率である第１の拡大率、及び部分画像Ｇ１０２の垂直方向の長さに対する原画像の垂直方向の長さの比率である第２の拡大率をそれぞれ算出する。
【００２９】
拡大部２０５は、算出した第１の拡大率及び第２の拡大率のうち値が大きい拡大率を用いて、部分画像Ｇ１０２の縦横を拡大する。
ここで、具体例を用いて説明する。
図５に示すように、部分画像Ｇ１０２の水平方向の長さ、つまり横の長さを“Ｘ−２ｌ”、垂直方向の長さ、つまり縦の長さを“Ｙ−２ｍ”とし、画像の原画像Ｇ１００における横の長さを“Ｘ”、縦の長さを“Ｙ”とする。
【００３０】
拡大部２０５は、第１の拡大率として値“Ｘ／（Ｘ−２ｌ）”を、第２の拡大率として値“Ｙ／（Ｙ−２ｍ）”を、それぞれ算出する。
拡大部２０５は、算出した第１の拡大率及び第２の拡大率のうち値が大きい拡大率を選択する。ここでは、第２の拡大率が選択されたとして、以下説明する。
拡大部２０５は、選択した第２の拡大率を用いて部分画像Ｇ１０２を拡大する。具体的には、拡大部２０５は、部分画像Ｇ２０１の中心位置、つまり撮影された被写体の中心位置Ｐを、中心位置Ｏと一致するよう、部分画像Ｇ２０１を移動させる。そして、拡大部２０５は、第２の拡大率に基づいて、水平方向及び垂直方向に部分画像Ｇ２０１を拡大する。このとき、第２の拡大率で拡大することで、部分画像Ｇ１０２の垂直方向の長さは原画像における垂直方向の長さＹと一致することとなる。しかしながら、図５の中段で示すように、第２の拡大率で拡大された部分画像Ｇ１０２の水平方向の長さは、原画像における水平方向の長さＸよりも長くなり、拡大された部分画像の一部（斜線部）は、原画像が表示される領域からはみ出すこととなる。
【００３１】
そこで、図５の下段で示すように、拡大された部分画像が表示される際には、はみ出した部分が切り取られて表示される。
仮に、算出した第１の拡大率及び第２の拡大率のうち値が小さい拡大率、例えば第１の拡大率が選択され、第１の拡大率で拡大されると、部分画像Ｇ１０２の水平方向の長さは原画像における水平方向の長さＸと一致することとなる。しかしながら、部分画像Ｇ１０２の垂直方向の長さは、垂直方向の長さＹよりも短いものとなっている。そのため、原画像のサイズよりも小さいサイズとなる。
【００３２】
また、部分画像の拡大とは、フレームバッファにおいて原画像が格納された領域と、同サイズの領域で部分画像がフレームバッファに格納されるようすることである。
上述したように、携帯電話機１０は、抽出部２０４及び拡大部２０５を用いることで、原画像の中心位置から被写体の中心位置までの長さが、所定値以上である場合に、部分画像の抽出及び拡大を行うことができる。
【００３３】
（５−６）書込部２０６
書込部２０６は、保存対象の画像を画像記憶部５０へ書き込む機能を有する。
具体的には、書込部２０６は、位置特定部２０３で座標値Ｐが所定領域Ｇ１１０内に存在すると判断される場合には、撮影された原画像を保存対象の画像として画像記憶部５０へ書き込む。書込部２０６は、位置特定部２０３で座標値Ｐが所定領域Ｇ１１０外に存在すると判断される場合には、拡大部２０５で拡大された部分画像を保存対象の画像として画像記憶部５０へ書き込む。
【００３４】
１．３  動作
（１）カメラ撮影時の動作
ここでは、本実施の形態に係る携帯電話機１０のカメラ撮影時における動作について、図６に示す流れ図を用いて説明する。
撮影処理部２０は、焦点合わせの対象となる被写体を特定する（ステップＳ５）。このとき、特定された被写体を囲む矩形状の枠（以下、焦点枠という。）が、カメラレンズ３５を通して撮像素子に結像された被写体とともに表示部３０で表示される。
【００３５】
操作検出部２０２は、シャッターボタンが押下されたか否かを判断する（ステップＳ１０）。押下されていないと判断する場合には（ステップＳ１０における「Ｎｏ」）、処理はステップＳ５へ戻り、再度焦点合わせの対象となる被写体の特定が行われる。
操作検出部２０２でシャッターボタンが押下されたと判断された場合（ステップＳ１０における「Ｙｅｓ」）、位置特定部２０３は、撮影時点における、焦点合わせの対象となった被写体の位置を特定する（ステップＳ１５）。具体的には、位置特定部２０３は、撮影された原画像の中心位置Ｏと、焦点枠の中心位置Ｐとにおけるｘ軸方向の差分値ｌと、ｙ軸方向の差分値ｍとを算出する。
【００３６】
抽出部２０４は、ステップＳ１５で特定された被写体の中心位置が、所定領域Ｇ１１０外に存在するか否かを判断する（ステップＳ２０）。具体的には、抽出部２０４は、位置特定部２０３で算出された差分値ｌ、ｍを用いて、原画像の中心位置Ｏから焦点枠の中心位置Ｐまでの長さを算出し、算出した長さが所定長以上であるか否かを判断する。ここで、被写体の中心位置とは、焦点枠の中心位置Ｐのことである。
【００３７】
ステップＳ１５で特定された被写体の中心位置Ｐが所定領域Ｇ１１０外に存在すると判断する場合には（ステップＳ２０における「Ｙｅｓ」）、抽出部２０４は、抽出処理を行い、部分画像を抽出する（ステップＳ２５）。
抽出部２０４で抽出処理が行われた後、拡大部２０５は、抽出された部分画像に対して拡大処理を行う（ステップＳ３０）。
【００３８】
表示制御部２０１は、拡大された部分画像が表示されるよう、表示部３０の制御を行う（ステップＳ３５）。
ステップＳ１５で特定された被写体の中心位置Ｐが所定領域Ｇ１１０外に存在しない、つまり所定領域Ｇ１１０内に存在すると判断される場合には（ステップＳ２０における「Ｎｏ」）、表示制御部２０１は、撮影された原画像が表示されるよう、表示部３０の制御を行う（ステップＳ４０）。
【００３９】
書込部２０６は、表示部３０で表示された画像を保存対象の画像として画像記憶部５０へ書き込む（ステップＳ４５）。
（２）抽出処理
ここでは、図６のステップＳ２５で行われる抽出処理について、図７に示す流れ図を用いて説明する。
【００４０】
抽出部２０４は、焦点枠の中心位置Ｐから原画像における垂直方向の縁までの最短の長さＬを算出する（ステップＳ１００）。
抽出部２０４は、焦点枠の中心位置Ｐから原画像における水平方向の縁までの最短の長さＭを算出する（ステップＳ１０５）。
抽出部２０４は、横の長さを２×Ｌ、縦の長さを２×Ｍとし、焦点枠の中心位置Ｐを中心とする矩形状の領域を部分画像として抽出する（ステップＳ１１０）。
【００４１】
（３）拡大処理
ここでは、図６のステップＳ３０で行われる拡大処理について、図８に示す流れ図を用いて説明する。
拡大部２０５は、第１の拡大率を算出する（ステップＳ２００）。また、拡大部２０５は、第２の拡大率を算出する（ステップＳ２０５）。
【００４２】
拡大部２０５は、第１の拡大率が第２の拡大率以上であるか否かを判断する（ステップＳ２１０）。
第１の拡大率が第２の拡大率以上であると判断する場合には（ステップＳ２１０における「Ｙｅｓ」）、拡大部２０５は、第１の拡大率で部分画像を拡大する（ステップＳ２１５）。
【００４３】
第１の拡大率が第２の拡大率以上でないと判断する場合には（ステップＳ２１０における「Ｎｏ」）、拡大部２０５は、第２の拡大率で部分画像を拡大する（ステップＳ２２０）。
１．４  変形例
以上、本発明を実施の形態に基づいて説明したが、本発明は上述した実施の形態に限られない。例えば、以下のような変形例が考えられる。
【００４４】
（１）上記実施の形態において、携帯電話機１０は、撮影の対象となる被写体が撮影時において静止しているものであっても、動いているものであっても、被写体（焦点枠）の中心位置Ｐが原画像の中心位置Ｏからずれている場合には、部分画像の抽出及び拡大を行ったが、これに限定されない。
携帯電話機１０は、被写体が撮影時において静止しているものである場合には、被写体の中心位置Ｐが原画像の中心位置Ｏからずれていても、部分画像の抽出及び拡大を行わないように制御してもよい。
【００４５】
以下、この場合の動作について、図９に示す流れ図を用いて説明する。
撮影処理部２０は、焦点合わせの対象となる被写体を特定する（ステップＳ３００）。このとき、特定された被写体を囲む焦点枠が、焦点合わせの対象として特定された被写体とともに表示部３０で表示される。
表示制御部２０１は、焦点枠で囲まれた被写体が動的被写体であるか否かを判断する（ステップＳ３０５）。ここで、動的被写体とは、所定時間（例えば、１秒間）内に、所定長以上移動する被写体をいう。所定長以上移動とは、例えば、焦点枠の中心位置Ｐの座標値が、水平方向、垂直方向及びの何れかにおいて、５以上移動することをいう。ここでは、表示制御部２０１は、焦点枠の中心位置Ｐが所定時間内に所定長以上移動した場合に、焦点枠で囲まれた被写体は動的被写体であると判断する。
【００４６】
焦点枠で囲まれた被写体は動的被写体であると判断する場合には（ステップＳ３０５における「Ｙｅｓ」）、表示制御部２０１は、撮影対象の被写体が動的被写体であるか否かを示す被写体フラグの値を１に設定する（ステップＳ３１０）。焦点枠で囲まれた被写体は動的被写体でないと判断する場合には（ステップＳ３０５における「Ｎｏ」）、表示制御部２０１は、被写体フラグの値を０に設定する（ステップＳ３１０）。
【００４７】
操作検出部２０２は、シャッターボタンが押下されたか否かを判断する（ステップＳ３１５）。押下されていないと判断する場合には（ステップＳ３１５における「Ｎｏ」）、処理はステップＳ３００へ戻り、再度焦点合わせの対象となる被写体の特定が行われる。
操作検出部２０２でシャッターボタンが押下されたと判断された場合（ステップＳ３１５における「Ｙｅｓ」）、位置特定部２０３は、撮影時点における、焦点合わせの対象となった被写体の位置を特定する（ステップＳ３２５）。具体的な動作について上述しているので、ここでの説明は省略する。
【００４８】
抽出部２０４は、表示制御部２０１で設定された被写体フラグの値が１であるか否かを判断する（ステップＳ３３０）。
被写体フラグの値が１であると判断する場合には（ステップＳ３３０における「Ｙｅｓ」）、抽出部２０４は、ステップＳ１５で特定された被写体の中心位置Ｐが所定領域Ｇ１１０外に存在するか否かを判断する（ステップＳ３３５）。
【００４９】
ステップＳ３２５で特定された被写体の中心位置Ｐが所定領域Ｇ１１０外に存在すると判断する場合には（ステップＳ３３５における「Ｙｅｓ」）、抽出部２０４は、抽出処理を行い、部分画像を抽出する（ステップＳ３４０）。なお、抽出処理の詳細な動作は、図７で示す動作と同じであるので、ここでの説明は省略する。
抽出部２０４で抽出処理が行われた後、拡大部２０５は、抽出された部分画像に対して拡大処理を行う（ステップＳ３４５）。なお、拡大処理の詳細な動作は、図８で示す動作と同じであるので、ここでの説明は省略する。
【００５０】
表示制御部２０１は、拡大された部分画像が表示されるよう、表示部３０の制御を行う（ステップＳ３５０）。
被写体フラグの値が１でないと判断される場合（ステップＳ３３０における「Ｎｏ」）、又はステップＳ３２５で特定された被写体の中心位置Ｐが所定領域Ｇ１１０外に存在しないと判断される場合には（ステップＳ３３５における「Ｎｏ」）、表示制御部２０１は、撮影された原画像が表示されるよう、表示部３０の制御を行う（ステップＳ３５５）。
【００５１】
書込部２０６は、表示部３０で表示対象となった画像を画像記憶部５０へ書き込む（ステップＳ３６０）。
以上説明した動作によると、携帯電話機１０は、被写体が動的なものである場合であって、被写体の中心位置Ｐが原画像の中心位置Ｏからずれている場合に、部分画像の抽出及び拡大を行うことができる。
【００５２】
本変形例では、動的被写体と判断された被写体は、抽出部２０４で部分画像に含まれて抽出される対象となっている。そして、抽出部２０４は、ステップＳ３３０で行われる、表示制御部２０１で設定された被写体フラグの値が１であるか否かを判断は、焦点合わせの対象として特定された被写体が、抽出部２０４による抽出の対象であるか否かを判断することに相当している。
【００５３】
なお、本変形例において、ステップＳ３３０における判断ステップと、ステップＳ３３５における判断ステップとについて、処理順序を入れ替えてもよい。つまり、携帯電話機１０は、撮影された被写体（焦点枠）の中心位置Ｐが、所定領域Ｇ１１０外に存在するか否かの判断をした後、被写体フラグの値が“１”であるか否かの判断を行ってもよい。この場合において、双方の判断ステップの判断結果が“Ｙｅｓ”であるときにはステップＳ３４０以降が実行され、少なくとも一方の判断ステップの判断結果が“Ｎｏ”であるときにはステップＳ３５５以降が実行される。
【００５４】
これにより、携帯電話機１０は、撮影された被写体が抽出対象である被写体である場合に、部分画像の抽出及び拡大を行うよう制御することができる。例えば、人物が静止した状態の画像を撮影しようとする場合、ユーザ（撮影者）が意図的に、撮影された人物の中心位置を、原画像が表示される領域の中心位置からずらして撮影することがある。そのような場合、撮影された被写体を抽出対象から除外することで、ユーザ（撮影者）が意図する画像を提供することができる。
【００５５】
（２）上記実施の形態において、表示部３０では、撮影された原画像、及び拡大された部分画像の何れかを表示したが、これに限定されない。
表示部３０は、双方の画像とも表示し、ユーザに画像記憶部５０へ格納する画像を選択させてもよい。
図１０に示すように、撮影された原画像Ｇ２００及び拡大された部分画像Ｇ２０１が、表示部３０に表示されている場合において、操作検出部２０２が、ユーザが格納対象となる画像を表示部３０上でタッチしたことを検出すると、書込部２０６は、検出されたタッチ位置に対応する画像が原画像Ｇ２００、及び拡大された部分画像Ｇ２０１の何れであるかを特定し、特定した画像を画像記憶部５０へ書き込む。
【００５６】
これにより、携帯電話機１０は、原画像と、拡大された部分画像の双方を表示するので、ユーザは、２つの画像を比較して、記憶領域への書き込み対象の画像として、ユーザ自身が満足することのできる一の画像を選択することができる。
（３）上記実施の形態において、書込部２０６は、表示部３０で表示された画像のみを格納したが、これに限定されない。
【００５７】
書込部２０６は、撮影された原画像、及び拡大された部分画像の双方とも画像記憶部５０へ書き込んでもよい。
（４）上記実施の形態において、所定領域Ｇ１１０は、水平方向の長さを原画像の水平方向の長さＸの３０％とし、垂直方向の長さを原画像の垂直方向の長さＹの３０％とする矩形領域であるとしたが、これに限定されない。
【００５８】
所定領域Ｇ１１０の水平方向の長さ、及び垂直方向の長さは、原画像の水平方向の長さ及び垂直方向の長さに対する割合が、３０％以外の値であってもよい。例えば、３０％以内の値であってもよい。
（５）上記実施の形態において、原画像の水平方向の長さＸに０．１５を乗算した値が小数値を含む場合には、小数点以下を切り捨てるとしたが、これに限定されない。
【００５９】
乗算結果が小数値を含む場合には、小数点以下を切り上げてもよい。または、小数第１位の値を四捨五入してもよい。
原画像の垂直方向の長さＹに０．１５を乗算した値が小数値を含む場合も、同様に、小数点以下を切り上げてもよいし、小数第１位の値を四捨五入してもよい。
（６）上記実施の形態において、焦点枠の中心位置Ｐが、所定領域Ｇ１１０の領域外にある場合に、焦点枠の中心位置Ｐが原画像の中心位置Ｏからずれているとしたが、これに限定されない。
【００６０】
焦点枠と所定領域Ｇ１１０とにおいて重複する領域が無い場合に、焦点枠の中心位置Ｐが原画像の中心位置Ｏからずれているとしてもよい。
または、焦点枠の中心位置Ｐが、原画像の中心位置Ｏと一致していない場合には、常にずれているとしてもよい。
（７）上記実施の形態において、部分画像を常に拡大したが、これに限定されない。
【００６１】
部分画像のサイズのまま表示してもよい。
本発明の拡大とは、１倍することも含めることとする。
また、上記実施の形態において部分画像の拡大に用いた拡大率は一例であり、これに限定されない。第１の拡大率及び第２の拡大率のうち値が小さい拡大率を、部分画像の拡大に用いてもよい。
【００６２】
または、第１の拡大率、第２の拡大率に限らず、他の値を拡大率として部分画像の拡大に用いてもよい。
（８）上記実施の形態において、所定領域Ｇ１１０は、矩形状としたが、これに限定されない。
所定領域Ｇ１１０は、円形状であってもよいし、多角形状であってもよい。
【００６３】
（９）上記実施の形態において、本発明のカメラ付き携帯端末として、カメラ付き携帯電話機を例にあげて説明したが、これに限定されない。
本発明のカメラ付き携帯端末として、カメラ付きのＰＤＡ（Ｐｅｒｓｏｎａｌ  Ｄｉｇｉｔａｌ  Ａｓｓｉｓｔａｎｔ）、カメラ付きゲーム機、カメラ付きＰＨＳ（Personal Handy-phone System）等に適用できる。または、上記実施の形態で説明した本発明における撮影機能をデジタルカメラそのものに適用してもよい。
【００６４】
（１０）上記の実施の形態及び変形例で説明した手法の手順を記述したプログラムをメモリに記憶しておき、ＣＰＵ（Ｃｅｎｔｒａｌ  Ｐｒｏｃｅｓｓｉｎｇ  Ｕｎｉｔ）などがメモリからプログラムを読み出して、読み出したプログラムを実行することによって、上記の手法が実現されるようにしてもよい。
また、当該手法の手順を記述したプログラムを記録媒体に格納して、頒布するようにしてもよい。なお、上記プログラムを記憶する媒体としては、例えば、フラッシュメモリや、ＵＳＢメモリやＳＤカード（登録商標）などの外部メモリを一例として挙げることができる。
【００６５】
（１１）上記実施の形態及び変形例を組み合わせるとしてもよい。
１．５  実施の形態の効果
上記実施の形態によると、携帯電話機１０は、撮影された原画像に含まれる被写体の中心位置が原画像の中心位置からずれている場合には、部分画像を抽出し、原画像の原画像のサイズと同一のサイズに拡大するので、拡大された部分画像に含まれる被写体は原画像の中心に位置している。これにより、携帯電話機１０は、被写体の表示位置についてユーザを満足させることができる画像を提供することがきる。
【００６６】
被写体の表示位置についてユーザに満足させるために、撮影された画像において、被写体の位置を中心位置に移動させることが考えられる。この場合、被写体があった元の位置については、実際の背景色に基づいてパディング処理を施すことが考えられる。このとき、パディング処理を行うため、つまり背景色を特定するためには、連写等により画像を数枚撮影する必要がある。撮影された数枚の画像から実際の背景色を特定してパディング処理が行われる。数枚の画像の撮影、背景色の特定、パディング処理、画像の中心位置で被写体を表示すべき領域について被写体を表す色へと変更する処理といった各種処理が必要となり、撮影指示の受け付け（例えば、シャッターボタンの押下）から表示までに時間がかかる。一方、携帯電話機１０によると、部分画像の抽出、拡大でよく、パディング処理を施す場合と比較して、撮影指示の受け付けから表示までにかかる時間は短いものとなる。
【産業上の利用可能性】
【００６７】
本発明は、トラッキング機能を利用してカメラ撮影を行うカメラ付き携帯端末に有効である。
【符号の説明】
【００６８】
１０    携帯電話機
２０    撮影処理部
３０    表示部
３１    スピーカ部
３２    マイクロフォン
３５    カメラレンズ
４０    コントローラ
５０    画像記憶部
６０    制御部
１０１    タッチパッド
１０２    ＬＣＤ
２０１    表示制御部
２０２    操作検出部
２０３    位置特定部
２０４    抽出部
２０５    拡大部
２０６    書込部
【図１】
2015070287.tif 000003
【図２】
2015070287.tif 000004
【図３】
2015070287.tif 000005
【図４】
2015070287.tif 000006
【図５】
2015070287.tif 000007
【図６】
2015070287.tif 000008
【図７】
2015070287.tif 000009
【図８】
2015070287.tif 000010
【図９】
2015070287.tif 000011
【図１０】
2015070287.tif 000012